(57)【要約】    【課題】リッド回りの寸法に及ぼす影響が小さく、しかも組付性に優れた回動抵抗付与ダンパを提供する。    【解決手段】有底筒状をなすケース６、該ケースの内面に回動自在に嵌入し且つケースの開口からその一端を突出させたシャフト７、およびケースとシャフトとの間に回動抵抗を加えるための回動抵抗発生手段を有し、キャビネット３に軸支されたリッド１に回動抵抗を付与するためのダンパ５において、シャフトの突出端１１をリッドに結合すると共にケースの底壁をリッドの回動中心軸上にて回動自在なようにリッドに結合し、接線方向に平行な平面部１８をケースの外周面に形成し、リッドに装着されたケースの平面に当接し得るリブ１９をキャビネットに形成するものとした。【選択図】図１
2005249208.tif 000002
【特許請求の範囲】
【請求項１】
有底筒状をなす外筒部材、該外筒部材の内面に回動自在に嵌入し且つ前記外筒部材の開口からその一端を突出させた軸部材、および前記外筒部材と前記軸部材との間に回動抵抗を加えるための回動抵抗発生手段を有し、キャビネットに軸支されたリッドに回動抵抗を付与するためのダンパであって、
当該ダンパは、前記軸部材の一端を前記リッドに回り止めされて結合可能であると共に前記外筒部材の底壁を前記リッドの回動中心軸上にて回動自在なように前記リッドに結合可能であり、
前記外筒部材には、その外周面の少なくとも一部に接線方向に平行な平面が形成されており、
前記キャビネットには、当該ダンパが装着されたリッドを前記キャビネットに装着した時に前記平面にその端縁が係止し得るリブが形成されていることを特徴とする回動抵抗付与ダンパ。
【請求項２】
前記軸部材の一端の外周面の少なくとも一部に前記外筒部材の平面と平行になり得る平面が形成されており、
前記リッドには前記軸部材の平面に係合可能な半径方向に開く把持部が形成されており、
前記把持部と前記リブの端縁とは、前記リッドの所定位置にて互いに平行となり得る平面を有することを特徴とする請求項１に記載の回動抵抗付与ダンパ。
【発明の詳細な説明】
【技術分野】
【０００１】
本発明は、回動抵抗付与ダンパに関し、特にキャビネットに軸支されたリッドに回動抵抗を付与するためのダンパに関するものである。
【背景技術】
【０００２】
例えばビデオカセットレコーダのカセット挿入口には、キャビネット内に塵埃が侵入することを防止するためのリッドが設けられる。このリッドは、一端がキャビネットに軸支され、他端が自由になっており、一般に振動でふらついたりすることを防止するために、適度な回動抵抗を加えるためのダンパがリッドの支軸に連結されている。
【０００３】
このダンパとしては、油の粘性抵抗を利用したものが良く知られており、例えば、支軸の軸端にギヤを介して、或いは直結にて連結される形式のものが公知となっている（特許文献１を参照されたい）。
【特許文献１】実開平３−１２３０８３号公報
【発明の開示】
【発明が解決しようとする課題】
【０００４】
上記従来形式のダンパは、リッドの軸線方向端部に設けるものであるため、同部分の軸線方向寸法に少なからぬ影響を及ぼすことがあり、寸法的な制約がある場合の組付性に難点がある。
【０００５】
本発明は、このような従来技術の不都合を解消するべく案出されたものであり、その主な目的は、リッド回りの寸法に及ぼす影響が小さく、しかも組付性に優れた回動抵抗付与ダンパを提供することにある。
【課題を解決するための手段】
【０００６】
このような目的は、本発明によれば、有底筒状をなす外筒部材（ケース６）、該外筒部材の内面に回動自在に嵌入し且つ外筒部材の開口からその一端を突出させた軸部材（シャフト７）、および外筒部材と軸部材との間に回動抵抗を加えるための回動抵抗発生手段を有し、キャビネット（３）に軸支されたリッド（１）に回動抵抗を付与するためのダンパ（５）において、当該ダンパを、前記軸部材の一端（突出端１１）を前記リッドに回り止めされて結合可能であると共に前記外筒部材の底壁をリッドの回動中心軸上にて回動自在なようにリッドに結合可能なものとし、外筒部材には、その外周面の少なくとも一部に接線方向に平行な平面（平面部１８）を形成し、キャビネットには、当該ダンパが装着されたリッドをキャビネットに装着した時に前記平面にその端縁が係止し得るリブ（１９）を形成することを特徴とする回動抵抗付与ダンパを提供することによって達成される。
【０００７】
特に、軸部材の一端の外周面の少なくとも一部に、外筒部材の平面と平行になり得る平面を形成し、軸部材の一端の平面に係合可能な半径方向に開く把持部をリッドに形成し、把持部とリブの端縁とに、リッドの所定位置にて互いに平行となり得る平面を設けるものとすると良い。
【発明の効果】
【０００８】
このような本発明によれば、外筒部材がキャビネットに対して静止状態で、かつリッドと相対回動可能となり、軸部材がリッドに対して静止状態で、かつキャビネットと相対回動可能となる。従って、外筒部材と軸部材との間に回動抵抗を加えることにより、キャビネットに軸支されたリッドに回動抵抗が加わることとなる。従って、回動抵抗を発揮するダンパをリッドの回動軸上に予め組み付けておくことができると共に、キャビネットにリッドを組み付けることでキャビネットとダンパ間が連結されるようになるので、組付け性を高める上に大きな効果が得られる。しかもリッドの寸法内にダンパを収めることができるので、全体寸法に及ぼす影響を殆ど皆無にすることができる。
【発明を実施するための最良の形態】
【０００９】
以下に添付の図面を参照して本発明について詳細に説明する。
【００１０】
図１は、本発明に基づき構成されたダンパを適用したリッドを示している。このリッド１は、概ね平板状をなし、その上縁と平行な軸線Ｘに沿う向きに左右の側縁に突起２が突設されており、この突起２をキャビネット３の内面に設けられた軸受孔４に突入させることにより、その下端を前後に揺動可能なようにキャビネット３に枢支されている。
【００１１】
ダンパ５は、有底筒状をなすケース６と、ケース６の内面に回動自在に、かつ液密に摺合した中空のシャフト７とからなっており、リッド１の上縁部の適所に設けられた受容部８内に、リッド１の支持軸の軸線Ｘと共通の軸線上に延設されている。
【００１２】
ケース６の開口には、シャフト７を挿通した上でシャフト挿通孔を液密に閉じるべく、Ｏリング９を介してキヤップ１０が嵌着されている。そしてシャフト７のケース６からの突出端１１は平坦にされており、リッド１に形成されたダンパ受容部８の一方の軸線方向端に設けられた把持部１２に回り止めされた状態で係合している（図２参照）。なお、シャフト７のケース６からの突出端１１を把持部１２に係合させる時には、単に突出端１１を把持部１２の開口に押しつければ良く、把持部１２が弾性変形して突出端１１を受け入れると、把持部１２の開口の抜止爪１３が突出端１１の脱落を防止するようになっている。
【００１３】
ケース６の底部には、軸線方向に沿う孔１４が穿設されており、リッド１に形成されたダンパ受容部８の他方の軸線方向端に突設された突起１５が突入し、前記した軸線Ｘ回りでケース６がリッド１と相対回動可能になっている。
【００１４】
シャフト７の中空部１６には、シリコンオイルが封入されている。またシャフト７には、複数の貫通孔１７が穿設されており、シリコンオイルの粘性抵抗により、ケース６とシャフト７間に回動抵抗が作用するようになっている。
【００１５】
ケース６は、軸線に直交する断面の外形輪郭が、半円形と矩形とを組み合わせたＵ字形をなしており、ケース６の外周面の一部に、接線に平行する平坦面からなる平面部１８が形成されている。他方、キャビネット３の内面には、平面部１８に当接し得るようにリブ１９が設けられており、このリブ１９の端縁に対してケース６の平面部１８が係止することにより、キャビネット３に対してケース６が回り止めされている（図３参照）。
【００１６】
次に本発明装置の作動要領について説明する。リッド１の下縁側を押すと、リッド１は上縁側を支点として回動するが、キャビネット３に対してダンパ５のケース６が静止状態にあり、リッド１と共にシャフト７が回動するので、ケース６とリッド１との間に回動変位が生ずる。するとシリコンオイルによる粘性抵抗がシャフト７に加わり、シャフト７に連結されたリッド１に回動抵抗が作用することとなる。
【００１７】
なお、上記実施例においては、回動抵抗発生手段としてケース内に封入したシリコンオイルの粘性抵抗を利用するものとしたが、ケースとシャフトとの間を捩りコイルばねで連結し、これの捩り抵抗による回動抵抗を付与するように構成することもできる。
【図面の簡単な説明】
【００１８】
【図１】本発明装置の取付状態を一部切除して示す要部正面図である。
【図２】図１に於けるII−II線に沿う断面図である。
【図３】図１に於けるIII−III線に沿う断面図である。
【図４】本発明装置の外観図であり、（ａ）は平面を、（ｂ）は正面を、（ｃ）は底面を、（ｄ）は左側面を、（ｅ）は右側面を、それぞれ表す。
【符号の説明】
【００１９】
１  リッド
２  突起
３  キャビネット
４  軸受孔
５  ダンパ
６  ケース
７  シャフト
８  軸受孔
９  Ｏリング
１０  キャップ
１１  突出端
１２  把持部
１３  抜止爪
１４  孔
１５  突起
１６  中空部
１７  貫通孔
１８  平面部
１９  リブ
【図１】
2005249208.tif 000003
【図２】
2005249208.tif 000004
【図３】
2005249208.tif 000005
【図４】
2005249208.tif 000006